(57)【要約】【課題】画像読取装置において読み取られた画像の画像データを送信先に送信するための作業を簡素化することができるようにする。【解決手段】端末装置から読取設定及び送信設定を受信する送受信部２１と、送受信部２１によって受信された読取設定に基づいて原稿の画像を読み取り、画像データを生成する読取部２３と、前記送受信部２１によって受信された送信設定に基づいて、前記読取部２３によって生成された画像データのファイルが添付された電子メールを作成するメール作成部２４とを有する。前記送受信部２１は電子メールを送信先に送信する。読取設定に基づいて原稿の画像が読み取られて画像データが生成され、送信設定に基づいて電子メールが作成されるので、画像読取装置から電子メールを送信先に直接送信することができる。【選択図】図１
2014192537.tif 000002
【特許請求の範囲】
【請求項１】
（ａ）端末装置から読取設定及び送信設定を受信する送受信部と、
（ｂ）該送受信部によって受信された読取設定に基づいて原稿の画像を読み取り、画像データを生成する読取部と、
（ｃ）前記送受信部によって受信された送信設定に基づいて、前記読取部によって生成された画像データのファイルが添付された電子メールを作成するメール作成部とを有するとともに、
（ｄ）前記送受信部は、メール作成部によって作成された電子メールを送信先に送信することを特徴とする画像読取装置。
【請求項２】
前記送信設定は、電子メールの送信先の送信先情報を備える請求項１に記載の画像読取装置。
【請求項３】
（ａ）前記読取部は、生成した画像データのファイルを記憶部に記録し、  
（ｂ）前記メール作成部は、前記記憶部から画像データのファイルを読み出し、電子メールに添付する請求項２に記載の画像読取装置。
【請求項４】
（ａ）前記送受信部は、端末装置から読取設定及び送信設定、並びに読取設定及び送信設定を識別するための設定識別情報を受信し、読取設定及び送信設定と設定識別情報とを対応させて記憶部に記録し、
（ｂ）前記読取部は、前記設定識別情報に対応する読取設定に基づいて原稿の画像を読み取り、
（ｃ）前記メール作成部は、前記設定識別情報に対応する送信設定に基づいて電子メールを作成する請求項１〜３のいずれか１項に記載の画像読取装置。
【請求項５】
（ａ）表示部を有するとともに、
（ｂ）該表示部に表示された設定識別情報の一覧において所定の設定識別情報が選択されると、前記読取部は、選択された設定識別情報に対応する読取設定に基づいて原稿の画像を読み取り、前記メール作成部は、選択された設定識別情報に対応する送信設定に基づいて電子メールを作成する請求項４に記載の画像読取装置。
【請求項６】
（ａ）端末装置と、
（ｂ）画像読取装置と、
（ｃ）前記端末装置と前記画像読取装置とを接続するネットワークとを有するとともに、
（ｄ）前記端末装置は、読取設定及び送信設定を作成する設定部、並びに読取設定及び送信設定を画像読取装置に送信する送受信部を備え、
（ｅ）前記画像読取装置は、端末装置から読取設定及び送信設定を受信する送受信部、該送受信部によって受信された読取設定に基づいて原稿の画像を読み取り、画像データを生成する読取部、並びに前記送受信部によって受信された送信設定に基づいて、前記読取部によって生成された画像データのファイルが添付された電子メールを作成するメール作成部を備え、
（ｆ）前記画像読取装置の送受信部は、メール作成部によって作成された電子メールを送信先に送信することを特徴とする画像読取システム。
【発明の詳細な説明】
【技術分野】
【０００１】
本発明は、画像読取装置及び画像読取システムに関するものである。
【背景技術】
【０００２】
従来、パソコンと画像読取装置としてのスキャナ装置とがネットワークを介して接続され、スキャナ装置によって原稿の画像を読み取ることができるようにしたネットワークシステム、すなわち、画像読取システムにおいては、パソコンからスキャナ装置に電子メールによって読取設定が送信されると、スキャナ装置が、読取設定に基づいて原稿の画像を読み取るようになっている（例えば、特許文献１参照。）。
【先行技術文献】
【特許文献】
【０００３】
【特許文献１】特開２００５−３１１９５８号公報
【発明の概要】
【発明が解決しようとする課題】
【０００４】
しかしながら、従来の画像読取システムにおいては、スキャナ装置において読み取られた画像の画像データを所定の送信先に送信しようとすると、ユーザは、パソコンを操作して、スキャナ装置から画像データをファイルにしてパソコンに取り込み、前記画像データのファイルを電子メールに添付し、ファイルが添付された電子メールを送信する必要があり、作業が煩わしい。
【０００５】
本発明は、前記従来の画像読取システムの問題点を解決して、画像読取装置において読み取られた画像の画像データを送信先に送信するための作業を簡素化することができる画像読取装置及び画像読取システムを提供することを目的とする。
【課題を解決するための手段】
【０００６】
そのために、本発明の画像読取装置においては、端末装置から読取設定及び送信設定を受信する送受信部と、該送受信部によって受信された読取設定に基づいて原稿の画像を読み取り、画像データを生成する読取部と、前記送受信部によって受信された送信設定に基づいて、前記読取部によって生成された画像データのファイルが添付された電子メールを作成するメール作成部とを有する。
【０００７】
そして、前記送受信部は、メール作成部によって作成された電子メールを送信先に送信する。
【発明の効果】
【０００８】
本発明によれば、画像読取装置においては、端末装置から読取設定及び送信設定を受信する送受信部と、該送受信部によって受信された読取設定に基づいて原稿の画像を読み取り、画像データを生成する読取部と、前記送受信部によって受信された送信設定に基づいて、前記読取部によって生成された画像データのファイルが添付された電子メールを作成するメール作成部とを有する。
【０００９】
そして、前記送受信部は、メール作成部によって作成された電子メールを送信先に送信する。
【００１０】
この場合、画像読取装置において、端末装置から受信した読取設定に基づいて原稿の画像が読み取られて画像データが生成され、端末装置から受信した送信設定に基づいて画像データのファイルが添付された電子メールが作成されるので、ユーザは、端末装置において電子メールを作成することなく、画像読取装置から電子メールを送信先に直接送信することができる。したがって、画像読取装置において読み取られた画像の画像データを送信先に送信するための作業を簡素化することができる。
【図面の簡単な説明】
【００１１】
【図１】本発明の第１の実施の形態における画像読取システムの制御ブロック図である。
【図２】本発明の第１の実施の形態における画像読取システムの概念図である。
【図３】本発明の第１の実施の形態におけるパソコンの動作を示すフローチャートである。
【図４】本発明の第１の実施の形態における読取設定画面の例を示す第１の図である。
【図５】本発明の第１の実施の形態における読取設定画面の例を示す第２の図である。
【図６】本発明の第１の実施の形態における送信設定画面の例を示す図である。
【図７】本発明の第１の実施の形態におけるスキャナ装置の動作を示すフローチャートである。
【図８】本発明の第２の実施の形態における画像読取システムの制御ブロック図である。
【図９】本発明の第２の実施の形態におけるパソコンの動作を示すフローチャートである。
【図１０】本発明の第２の実施の形態における設定登録画面の例を示す図である。
【図１１】本発明の第２の実施の形態におけるスキャナ装置の動作を示す第１のフローチャートである。
【図１２】本発明の第２の実施の形態におけるスキャナ装置の動作を示す第２のフローチャートである。
【図１３】本発明の第２の実施の形態における設定選択画面の例を示す図である。
【図１４】本発明の第３の実施の形態における画像読取システムの概念図である。
【図１５】本発明の第３の実施の形態における画像読取システムの制御ブロック図である。
【図１６】本発明の第３の実施の形態における画像読取システムの動作を示すフローチャートである。
【図１７】本発明の第３の実施の形態における接続装置選択画面の例を示す図である。
【図１８】本発明の第３の実施の形態における携帯電話の動作を示すフローチャートである。
【図１９】本発明の第３の実施の形態における複合機の動作を示す第１のフローチャートである。
【図２０】本発明の第３の実施の形態における複合機の動作を示す第２のフローチャートである。
【発明を実施するための形態】
【００１２】
以下、本発明の実施の形態について図面を参照しながら詳細に説明する。
【００１３】
図１は本発明の第１の実施の形態における画像読取システムの制御ブロック図、図２は本発明の第１の実施の形態における画像読取システムの概念図である。
【００１４】
図において、ＰＣｉ（ｉ＝１、２、…）は端末装置としてのパソコン、２０は画像読取装置としてのスキャナ装置、３０は複合機、３８はメールサーバである。前記パソコンＰＣｉ、スキャナ装置２０、複合機３０、メールサーバ３８等はＬＡＮ、インターネット等のネットワーク４０を介して接続され、ネットワークシステム、本実施の形態においては、画像読取システムを構成する。各パソコンＰＣｉ、スキャナ装置２０、複合機３０等は相互通信が可能に接続される。なお、本実施の形態において前記各パソコンＰＣｉは同じ構造を有するので、パソコンＰＣ１についてだけ詳細に説明する。
【００１５】
図１に示されるように、パソコンＰＣ１は、表示・操作部１１、記憶部１２、設定処理手段としての設定部１３、第１の通信処理手段としての送受信部１４等を備える。
【００１６】
前記表示・操作部１１は、ディスプレイ、ＬＣＤ等の表示装置を備えた表示部、及び操作パネル、マウス等の操作装置を備えた操作部から成る。なお、表示部がタッチパネル式のＬＣＤから成る場合、表示部を操作部として機能させることができる。
【００１７】
また、前記記憶部１２には、電子メールの送信先のパソコンの名称、アドレス等から成るアドレス帳データ、スキャナ装置２０の性能を表す装置性能情報、スキャナ装置２０において原稿の画像を読み取る際の読取条件から成る読取設定、スキャナ装置２０から送信先のパソコンに電子メールを送信する際の送信条件から成る送信設定等が記録される。本実施の形態において、読取設定は、読取りの色のカラー／モノクロの別、読取りの解像度、原稿のサイズを表す読取サイズ、画像を読み取ることによって生成された画像データをファイルにするときのファイル形式、圧縮率等の読取条件から成る。また、送信設定は、電子メールの送信先情報としての送信先のアドレス、送信される電子メールの件名、電子メールに添付されるファイルの名称、すなわち、添付ファイル名、電子メールの本文等の送信条件から成る。なお、添付ファイル名によって、ファイルを特定するためのファイル特定情報が構成される。
【００１８】
そして、前記設定部１３は、設定処理を行い、記憶部１２に記録されたスキャナ装置２０を動作させるためのドライバを用いて、読取条件を設定し、読取設定を作成して記憶部１２に記録したり、送信条件を設定し、送信設定を作成して記憶部１２に記録したりする。
【００１９】
さらに、前記送受信部１４は、第１の通信処理を行い、前記スキャナ装置２０からスキャナ装置２０の装置性能情報を受信したり、スキャナ装置２０に読取設定及び送信設定を送信したりする。
【００２０】
また、スキャナ装置２０は、第２の通信処理手段としての送受信部２１、記憶部２２、読取処理手段としての読取部２３、メール作成処理手段としてのメール作成部２４等を備える。
【００２１】
前記送受信部２１は、第２の通信処理を行い、前記パソコンＰＣｉのうちの所定のパソコンから読取設定及び送信設定を受信したり、前記所定のパソコンにスキャナ装置２０の装置性能情報を送信したり、電子メールを送信先に送信したり、送信元から受信したりする。
【００２２】
また、前記記憶部２２には、前記所定のパソコンから受信した読取設定及び送信設定、並びにスキャナ装置２０の装置性能情報が記録される。
【００２３】
そして、前記読取部２３は、読取処理を行い、記憶部２２から読取設定及び送信設定を読み出し、読取設定に基づいて、スキャナ装置２０に配設された図示されない読取ヘッド等の読取装置を作動させて原稿の画像を読み取り、画像データを生成し、該画像データを読取設定において設定されたファイル形式でファイルにし、読取設定において設定された名称を付与して記憶部２２に記録する。
【００２４】
また、前記メール作成部２４は、メール作成処理を行い、記憶部２２から送信設定を読み出し、送信設定に基づいて電子メールを作成する。すなわち、前記メール作成部２４は、所定の送信先への電子メールを作成し、該電子メールに所定の件名を付与するとともに、記憶部２２から画像データのファイルを読み出し、該ファイルを電子メールに添付する。
【００２５】
そして、前記送受信部２１は、前記メール作成部２４によって作成された電子メールを読み込み、前記所定の送信先に送信する。
【００２６】
次に、前記構成の画像読取システムの動作について説明する。
【００２７】
まず、スキャナ２０に読取設定及び送信設定を送信する際のパソコンＰＣ１の動作について説明する。
【００２８】
図３は本発明の第１の実施の形態におけるパソコンの動作を示すフローチャート、図４は本発明の第１の実施の形態における読取設定画面の例を示す第１の図、図５は本発明の第１の実施の形態における読取設定画面の例を示す第２の図、図６は本発明の第１の実施の形態における送信設定画面の例を示す図である。
【００２９】
まず、設定部１３（図１）は、表示・操作部１１の表示部に、図４に示されるような、読取設定を作成するための画面、すなわち、読取設定画面ｄ１を形成し、該読取設定画面ｄ１に、「カラー／モノクロ」、「解像度」、「読取サイズ」、「ファイル形式」及び「圧縮率」の各読取条件の項目、並びに各読取条件の一覧をプルダウン方式で表示するための枠ｆｉ（ｉ＝１、２、…）を表示する。そして、図５に示されるように、操作者であるユーザが、表示・操作部１１の操作部を操作して枠ｆ１を選択すると、「カラー／モノクロ」についてカラー又はモノクロの各読取条件が、枠ｆ２を選択すると、「解像度」について３００ｄｐｉ、６００ｄｐｉ又は１２００ｄｐｉの各読取条件が、枠ｆ３を選択すると、「読取サイズ」についてＡ３、Ａ４、Ｂ５等の各読取条件が、枠ｆ４を選択すると、「ファイル形式」についてＴＩＦＦ、ＪＰＥＧ、ＢＭＰ、ＧＩＦ等の各読取条件が、枠ｆ５を選択すると、「圧縮率」について１００〔％〕、９０〔％〕、７５〔％〕等の各読取条件が表示される。なお、枠ｆ５における「入力設定」は、ユーザが任意の圧縮率を前記操作パネルにおけるテンキー等で入力するためのものである。
【００３０】
ユーザが、各項目について所定の読取条件を選択し、実行要素としてのＯＫキーｋ１をクリック（押下）すると、前記設定部１３は、選択された各読取条件に基づいて読取設定を作成し、前記記憶部１２に記録する。
【００３１】
次に、設定部１３は、表示・操作部１１の表示部に、図６に示されるような、送信設定を作成するための画面、すなわち、送信設定画面ｄ２を形成し、該送信設定画面ｄ２に、「宛先」（「Ｔｏ」、「Ｃｃ（カーボンコピー）」及び「Ｂｃｃ（ブラインドカーボンコピー）」）、「件名」、「添付ファイル名」及び「本文」の各送信条件の項目、並びに各送信条件を表示するための枠ｇｊ（ｊ＝１、２、…）を表示する。
【００３２】
ユーザが、各項目について所定の送信条件を入力し、ＯＫキーｋ２をクリックすると、前記設定部１３は、入力された各送信条件に基づいて送信設定を作成し、前記記憶部１２に記録する。
【００３３】
なお、「宛先」のアドレスは、ユーザが、記憶部１２に記録されたアドレス帳データから選択するか、又は操作パネルを操作して直接入力することができる。
【００３４】
続いて、送受信部１４は記憶部１２から読取設定及び送信設定を読み出し、ネットワーク４０を介してスキャナ装置２０に送信する。
【００３５】
次に、図３のフローチャートについて説明する。
ステップＳ１  設定部１３は読取設定を作成する。
ステップＳ２  読取設定が作成されたかどうかを判断する。読取設定が作成された場合はステップＳ３に進み、読取設定が作成されなかった場合はステップＳ１に戻る。
ステップＳ３  設定部１３は送信設定を作成する。
ステップＳ４  送信設定が作成されたかどうかを判断する。送信設定が作成された場合はステップＳ５に進み、送信設定が作成されなかった場合はステップＳ３に戻る。
ステップＳ５  送受信部１４は、読取設定及び送信設定をスキャナ装置２０に送信し、処理を終了する。
【００３６】
次に、パソコンＰＣ１から読取設定及び送信設定を受信し、原稿の画像を読み取り、電子メールを作成して送信する際のスキャナ装置２０の動作について説明する。
【００３７】
図７は本発明の第１の実施の形態におけるスキャナ装置の動作を示すフローチャートである。
【００３８】
まず、スキャナ装置２０（図１）の送受信部２１は、パソコンＰＣ１から送信された読取設定及び送信設定を受信し、記憶部２２に記録する。
【００３９】
続いて、読取部２３は、原稿がＡＤＦ（自動給紙装置）にセットされているかどうかを判断し、原稿がＡＤＦにセットされている場合、記憶部２２から読取設定を読み出し、前記読取装置を作動させ、読取設定に基づいてＡＤＦにセットされた原稿の画像を読み取る。また、原稿がＡＤＦにセットされていない場合、読取部２３は、原稿がフラットベットにセットされているかどうかを判断し、原稿がフラットベットにセットされている場合、前記記憶部２２から読取設定を読み出し、読取装置を作動させ、読取設定に基づいてフラットベットにセットされた原稿の画像を読み取る。このとき、読取部２３は、読み取られた画像の画像データを生成し、該画像データを読取設定において設定されたファイル形式でファイルにし、読取設定において設定された名称を付与して記憶部２２に記録する。
【００４０】
続いて、読取部２３は、原稿の画像の読取りが終了したかどうかを判断し、読取りが終了した場合、メール作成部２４は、記憶部２２から送信設定を読み出し、送信設定に基づいて電子メールを作成する。すなわち、前記メール作成部２４は、送信設定において設定された送信先への電子メールを作成し、送信設定において設定された件名を電子メールに付与するとともに、記憶部２２から画像データのファイルを読み出し、該ファイルを電子メールに添付する。
【００４１】
そして、前記送受信部２１は、前記メール作成部２４によって作成された電子メールを読み込み、送信先に送信する。これに伴って、電子メールを、メールサーバ３８を介してパソコンＰＣ２、ＰＣ３、…に送信することができる。
【００４２】
このように、本実施の形態においては、スキャナ装置２０において、パソコンＰＣ１から受信した読取設定に基づいて原稿の画像が読み取られて画像データが生成され、パソコンＰＣ１から受信した送信設定に基づいて画像データのファイルが添付された電子メールが作成されるので、ユーザは、パソコンＰＣ１において電子メールを作成することなく、スキャナ装置２０から電子メールを送信先に直接送信することができる。したがって、スキャナ装置２０において読み取られた画像の画像データを送信先に送信するための作業を簡素化することができる。
【００４３】
次に、図７のフローチャートについて説明する。
ステップＳ１１  送受信部２１は読取設定及び送信設定を受信する。
ステップＳ１２  送受信部２１は読取設定及び送信設定を記録する。
ステップＳ１３  読取部２３は原稿がＡＤＦにセットされているかどうかを判断する。原稿がＡＤＦにセットされている場合はステップＳ１４に、原稿がＡＤＦにセットされていない場合はステップＳ１５に進む。
ステップＳ１４  読取部２３はＡＤＦにセットされた原稿の画像を読み取る。
ステップＳ１５  読取部２３は原稿がフラットベットにセットされているかどうかを判断する。原稿がフラットベットにセットされている場合はステップＳ１６に進み、原稿がフラットベットにセットされていない場合は処理を終了する。
ステップＳ１６  読取部２３はフラットベットにセットされた原稿の画像を読み取る。
ステップＳ１７  画像の読取りが終了するのを待機し、画像の読取りが終了した場合はステップＳ１８に進む。
ステップＳ１８  メール作成部２４は送信設定に基づいて電子メールを作成する。
ステップＳ１９  送受信部２１は、電子メールを送信し、処理を終了する。
【００４４】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４５】
図８は本発明の第２の実施の形態における画像読取システムの制御ブロック図である。
【００４６】
この場合、端末装置としてのパソコンＰＣ１は、表示・操作部１１、記憶部１２、設定処理手段としての設定部１３、第１の通信処理手段としての送受信部１４等を備える。
【００４７】
前記記憶部１２には、電子メールの送信先のパソコンの名称、アドレス等から成るアドレス帳データ、画像読取装置としてのスキャナ装置２０の性能を表す装置性能情報、スキャナ装置２０において原稿の画像を読み取る際の読取条件から成る読取設定、スキャナ装置２０から送信先のパソコンに電子メールを送信する際の送信条件から成る送信設定、前記読取設定及び送信設定を識別するための名称である設定識別情報としての設定名称等が記録される。
【００４８】
また、スキャナ装置２０は、第２の通信処理手段としての送受信部２１、記憶部２２、読取処理手段としての読取部２３、メール作成処理手段としてのメール作成部２４、表示・操作部２５等を備える。
【００４９】
前記送受信部２１は、第２の通信処理を行い、前記パソコンＰＣｉのうちの所定のパソコンから読取設定、送信設定及び設定名称を受信したり、前記所定のパソコンにスキャナ装置２０の装置性能情報を送信したり、電子メールを送信先に送信したり、送信元から受信したりする。
【００５０】
また、前記表示・操作部２５は、ＬＣＤ等の表示装置を備えた表示部、及び操作パネル、マウス等の操作装置を備えた操作部から成る。
【００５１】
次に、前記構成の画像読取システムの動作について説明する。
【００５２】
まず、パソコンＰＣ１からスキャナ装置２０に読取設定、送信設定及び設定名称を送信する際のパソコンＰＣ１の動作について説明する。
【００５３】
図９は本発明の第２の実施の形態におけるパソコンの動作を示すフローチャート、図１０は本発明の第２の実施の形態における設定登録画面の例を示す図である。
【００５４】
まず、設定部１３（図８）は、表示・操作部１１の表示部に読取設定画面ｄ１（図４）を形成し、該読取設定画面ｄ１に、各読取条件の項目、及び各読取条件の一覧をプルダウン方式で表示するための枠ｆｉ（ｉ＝１、２、…）を表示する。
【００５５】
ユーザが、各項目について所定の読取条件を選択し、実行要素としてのＯＫキーｋ１をクリックすると、設定部１３は、選択された各読取条件に基づいて読取設定を作成し、前記記憶部１２に記録する。
【００５６】
次に、設定部１３は、表示・操作部１１の表示部に送信設定画面ｄ２（図６）を形成し、該送信設定画面ｄ２に、各送信条件の項目、及び各送信条件を表示するための枠ｇｊ（ｊ＝１、２、…）を表示する。
【００５７】
ユーザが、各項目について所定の送信条件を入力し、ＯＫキーｋ２をクリックすると、前記設定部１３は、入力された各送信条件に基づいて送信設定を作成し、前記記憶部１２に記録する。
【００５８】
続いて、設定部１３は、表示・操作部１１の表示部に、図１０に示されるような、作成した読取設定及び送信設定の設定名称を登録するための設定登録画面ｄ３を形成し、該設定登録画面ｄ３に、設定名称を入力するための枠ｈを表示する。そして、ユーザが、操作パネルを操作して枠ｈ内に設定名称を入力し、ＯＫキーｋ３をクリックすると、設定部１３は、読取設定及び送信設定と設定名称とを対応させて前記記憶部１２に記録し、登録する。
【００５９】
続いて、送受信部１４は記憶部１２から読取設定、送信設定及び設定名称を読み出し、ネットワーク４０を介してスキャナ装置２０に送信する。
【００６０】
次に、図９のフローチャートについて説明する。
ステップＳ２１  設定部１３は読取設定を作成する。
ステップＳ２２  読取設定が作成されたかどうかを判断する。読取設定が作成された場合はステップＳ２３に進み、読取設定が作成されなかった場合はステップＳ２１に戻る。
ステップＳ２３  設定部１３は送信設定を作成する。
ステップＳ２４  送信設定が作成されたかどうかを判断する。送信設定が作成された場合はステップＳ２５に進み、送信設定が作成されなかった場合はステップＳ２３に戻る。
ステップＳ２５  設定部１３は読取設定及び送信設定と設定名称とを対応させて登録する。
ステップＳ２６  送受信部１４は、読取設定、送信設定及び設定名称をスキャナ装置２０に送信し、処理を終了する。
【００６１】
次に、読取設定、送信設定及び設定名称を受信する際のスキャナ装置２０の動作について説明する。
【００６２】
図１１は本発明の第２の実施の形態におけるスキャナ装置の動作を示す第１のフローチャートである。
【００６３】
スキャナ装置２０（図８）において、送受信部２１は、パソコンＰＣ１から読取設定、送信設定及び設定名称を受信し、読取設定及び送信設定と設定名称とを対応させて記憶部２２に記録する。
【００６４】
次に、図１１のフローチャートについて説明する。
ステップＳ３１  送受信部２１は、読取設定、送信設定及び設定名称をパソコンＰＣ１から受信する。
ステップＳ３２  送受信部２１は、読取設定及び送信設定と設定名称とを対応させて記録し、処理を終了する。
【００６５】
次に、原稿の画像を読み取り、電子メールを作成する際のスキャナ装置２０の動作について説明する。
【００６６】
図１２は本発明の第２の実施の形態におけるスキャナ装置の動作を示す第２のフローチャート、図１３は本発明の第２の実施の形態における設定選択画面の例を示す図である。
【００６７】
スキャナ装置２０（図８）において、ユーザが、表示・操作部２５の表示部に形成されたメニュー画面で、原稿の画像を読み取り、画像データが添付された電子メールを送信先に送信する機能（スキャントゥメールの機能）を選択すると、前記読取部２３は、表示・操作部２５の表示部に、図１３に示されるような、読取設定及び送信設定を選択するための設定選択画面ｄ４を形成し、該設定選択画面ｄ４に、設定名称を選択するための文字列を検索キーとして入力するための枠ｉを表示する。ユーザが表示・操作部２５の操作部を操作して文字列を入力すると、前記読取部２３は、記憶部２２内を検索し、第１の表示領域ＡＲ１に、入力した文字列を含む設定名称の候補、設定名称を登録したユーザの名称、登録された日時等を一覧（リスト）で表示する。さらに、ユーザが、表示・操作部２５の操作部を操作して、一覧において所定の設定名称を選択すると、前記読取部２３は、前記記憶部２２を参照し、選択された設定名称と対応させて記録された読取設定及び送信設定を読み出し、前記第１の表示領域ＡＲ１と隣接する第２の表示領域ＡＲ２に読取設定の各読取条件及び送信設定の各送信条件を表示する。
【００６８】
続いて、ユーザが、設定選択画面ｄ４で、読取設定の各読取条件及び送信設定の各送信条件を確認し、実行要素としてのＯＫキーｋ４をクリックすると、前記読取部２３は、読取設定及び送信設定を確定する。
【００６９】
次に、読取部２３は、原稿がＡＤＦにセットされているかどうかを判断し、原稿がＡＤＦにセットされている場合、記憶部２２から読取設定を読み出し、読取装置を作動させ、読取設定に基づいてＡＤＦにセットされた原稿の画像を読み取る。また、原稿がＡＤＦにセットされていない場合、読取部２３は、原稿がフラットベットにセットされているかどうかを判断し、原稿がフラットベットにセットされている場合、前記記憶部２２から読取設定を読み出し、読取装置を作動させ、読取設定に基づいてフラットベットにセットされた原稿の画像を読み取る。このとき、読取部２３は、読み取られた画像の画像データを生成し、該画像データを読取設定において設定されたファイル形式でファイルにし、読取設定において設定された名称を付与して記憶部２２に記録する。
【００７０】
続いて、読取部２３は、原稿の画像の読取りが終了したかどうかを判断し、読取りが終了すると、メール作成部２４は、記憶部２２から送信設定を読み出し、送信設定に基づいて電子メールを作成する。すなわち、前記メール作成部２４は、送信設定において設定された送信先への電子メールを作成し、送信設定において設定された件名を電子メールに付与するとともに、記憶部２２から画像データのファイルを読み出し、該ファイルを電子メールに添付する。
【００７１】
そして、前記送受信部２１は、前記メール作成部２４によって作成された電子メールを読み込み、送信先に送信する。これに伴い、電子メールを、メールサーバ３８を介して、パソコンＰＣ２、ＰＣ３等に送信することができる。
【００７２】
このように、本実施の形態においては、パソコンＰＣ１からスキャナ装置２０に読取設定、送信設定及び設定名称が送信され、記憶部２２に記録されるので、ユーザが設定名称を選択するだけで、設定名称に対応した読取設定及び送信設定を記憶部２２から読み出し、読取設定に基づいて原稿の画像を読み取り、送信設定に基づいて画像データのファイルが添付された電子メールを送信先に直接送信することができる。したがって、スキャナ装置２０において読み取られた画像の画像データを送信先に送信するための作業を一層簡素化することができる。
【００７３】
次に、図１２のフローチャートについて説明する。
ステップＳ４１  ユーザが設定名称を選択する。
ステップＳ４２  読取部２３は設定名称が選択されたかどうかを判断する。設定名称が選択された場合は４３に進み、設定名称が選択されなかった場合はステップＳ４１に戻る。
ステップＳ４３  読取部２３は原稿がＡＤＦにセットされているかどうかを判断する。原稿がＡＤＦにセットされている場合はステップＳ４４に、原稿がＡＤＦにセットされていない場合はステップＳ４５に進む。
ステップＳ４４  読取部２３はＡＤＦにセットされた原稿の画像を読み取る。
ステップＳ４５  読取部２３は原稿がフラットベットにセットされているかどうかを判断する。原稿がフラットベットにセットされている場合はステップＳ４６に進み、原稿がフラットベットにセットされていない場合は処理を終了する。
ステップＳ４６  読取部２３はフラットベットにセットされた原稿の画像を読み取る。
ステップＳ４７  画像の読取りが終了するのを待機し、画像の読取りが終了した場合はステップＳ４８に進む。
ステップＳ４８  メール作成部２４は送信設定に基づいて電子メールを作成する。
ステップＳ４９  送受信部２１は、電子メールを送信し、処理を終了する。
【００７４】
次に、本発明の第３の実施の形態について説明する。なお、第１、第２の実施の形態と同じ構造を有するものについては、同じ符号を付与し、同じ構造を有することによる発明の効果については同実施の形態の効果を援用する。
【００７５】
図１４は本発明の第３の実施の形態における画像読取システムの概念図、図１５は本発明の第３の実施の形態における画像読取システムの制御ブロック図である。
【００７６】
図において、ＰＣｉ（ｉ＝１、２、…）は第１の端末装置としてのパソコン、２０は第１の画像読取装置としてのスキャナ装置、３０は第２の画像読取装置としての複合機、３８はメールサーバ、６０は第２の端末装置としての携帯電話である。
【００７７】
前記パソコンＰＣｉ、スキャナ装置２０、複合機３０、メールサーバ３８等はＬＡＮ、インターネット等のネットワーク４０を介して接続され、前記スキャナ装置２０、複合機３０、携帯電話６０等は、Ｂｌｕｅｔｏｏｔｈ（登録商標）、Ｗｉ−Ｆｉ等の無線のネットワーク、すなわち、無線ネットワーク５０を介して接続され、これにより、画像読取システムが構成される。
【００７８】
前記携帯電話６０は、表示・操作部６１、記憶部６２、設定処理手段としての設定部６３、第１の通信処理手段としての送受信部６４、第１の通信接続処理手段としての通信接続部６５等を備える。
【００７９】
前記記憶部６２には、各パソコンＰＣｉの名称、アドレス等から成るアドレス帳データ、複合機３０の性能を表す装置性能情報、複合機３０において原稿の画像を読み取る際の読取条件から成る読取設定、複合機３０から送信先のパソコンに電子メールを送信する際の送信条件から成る送信設定、前記読取設定及び送信設定の設定名称、認証用のパスワード、複合機３０等との接続が行われたときの記録等が記録される。
【００８０】
前記設定部６３は、記憶部６２に記録された複合機３０を動作させるためのドライバを用いて、読取条件を設定して読取設定を作成したり、送信条件を設定して送信設定を作成したり、読取設定、送信設定及び設定名称を前記記憶部６２に記録したりする。
【００８１】
また、前記送受信部６４は、第１の通信処理を行い、前記複合機３０から複合機３０の装置性能情報を受信したり、複合機３０に読取設定、送信設定及び設定名称を送信したりする。そして、前記通信接続部６５は、第１の通信接続処理を行い、無線ネットワーク５０を用いてパスワードの認証に基づいて複合機３０等との通信接続を行う。
【００８２】
また、複合機３０は、第２の通信処理手段としての送受信部３１、記憶部３２、読取処理手段としての読取部３３、メール作成処理手段としてのメール作成部３４、表示・操作部３５、第２の通信接続処理手段としての通信接続部３６等を備える。
【００８３】
前記送受信部３１は、前記携帯電話６０から読取設定、送信設定及び設定名称を受信したり、前記携帯電話６０に複合機３０の装置性能情報を送信したり、電子メールを送信先に送信したり、送信元から受信したりする。そして、前記通信接続部３６は、第２の通信接続処理を行い、無線ネットワーク５０を用いてパスワードの認証に基づいて、携帯電話６０等との接続を行う。
【００８４】
また、前記記憶部３２には、前記携帯電話６０から受信した読取設定、送信設定及び設定名称、並びに複合機３０の装置性能情報が記録される。
【００８５】
そして、前記読取部３３は、記憶部３２から読取設定及び送信設定を読み出し、読取設定に基づいて、複合機３０に配設された読取装置を作動させて原稿の画像を読み取り、画像データを生成し、該画像データを読取設定において設定されたファイル形式でファイルにし、読取設定において設定された名称を付与して記憶部３２に記録する。
【００８６】
また、前記メール作成部３４は、記憶部３２から送信設定を読み出し、送信設定に基づいて電子メールを作成する。すなわち、前記メール作成部３４は、所定の送信先への電子メールを作成し、該電子メールに所定の件名を付与するとともに、記憶部３２から画像データのファイルを読み出し、該ファイルを電子メールに添付する。
【００８７】
そして、前記送受信部３１は、前記メール作成部３４によって作成された電子メールを読み込み、前記所定の送信先に送信する。
【００８８】
次に、前記構成の画像読取システムの動作について説明する。
【００８９】
図１６は本発明の第３の実施の形態における画像読取システムの動作を示すフローチャート、図１７本発明の第３の実施の形態における接続装置選択画面の例を示す図、図１８は本発明の第３の実施の形態における携帯電話の動作を示すフローチャート、図１９本発明の第３の実施の形態における複合機の動作を示す第１のフローチャート、図２０本発明の第３の実施の形態における複合機の動作を示す第２のフローチャートである。
【００９０】
まず、携帯電話６０において、送受信部６４は、無線ネットワーク５０を介して接続可能な装置を検索し、接続可能な装置があるかどうかを判断する。接続可能な装置がない場合、送受信部６４は、表示・操作部６１の表示部に接続可能な装置がない旨のメッセージを表示し、エラーの発生をユーザに通知する。また、接続可能な装置がある場合、送受信部６４は、前記表示部に、接続装置選択画面、例えば、図１７に示されるようなＷｉ−Ｆｉ（商品名）設定画面ｄ５を形成し、該Ｗｉ−Ｆｉ（商品名）設定画面ｄ５に、携帯電話６０と接続可能な装置、本実施の形態においては、スキャナ装置２０、複合機３０等を表示する。
【００９１】
続いて、ユーザが、表示・操作部６１の操作部を操作して所定の装置、本実施の形態においては、複合機３０を選択すると、送受信部６４は、前記複合機３０による要求に基づいて記憶部６２からパスワードを読み出し、該パスワードを複合機３０に送信する。
【００９２】
複合機３０において、通信接続部３６は、携帯電話６０からパスワードを受信すると、記憶部３２を参照し、携帯電話６０から受信したパスワードと記憶部３２に記録されたパスワードとが一致するかどうかを判断し、パスワードが一致する場合、パスワードの認証を行う。
【００９３】
そして、携帯電話６０において、通信接続部６５は、通信接続部３６によるパスワードの認証が行われたかどうかを判断し、パスワードの認証が行われた場合、複合機３０との通信接続を行う。なお、ユーザは、前記携帯電話６０において、記憶部６２に記録されたパスワードを利用することなく、操作部を操作して直接パスワードを入力することができる。
【００９４】
パスワードの認証が行われなかった場合、送受信部６４は、表示・操作部６１の表示部にパスワードの認証が行われなかった旨のメッセージを表示し、エラーの発生をユーザに通知する。
【００９５】
このようにして、携帯電話６０と複合機３０との通信接続が行われると、設定部６３（図１５）は、表示・操作部６１の表示部に、図４に示される読取設定画面ｄ１と同様の読取設定画面を形成し、該読取設定画面に各読取条件の項目及び枠を表示する。
【００９６】
ユーザが、各項目について所定の読取条件を選択し、実行要素としてのＯＫキーｋ１をクリックすると、前記設定部６３は、選択された各読取条件に基づいて読取設定を作成し、前記記憶部６２に記録する。
【００９７】
次に、設定部６３は、表示・操作部６１の表示部に、図６に示される送信設定画面ｄ２と同様の送信設定画面を形成し、該送信設定画面に各送信条件の項目及び枠を表示する。
【００９８】
ユーザが、各項目について所定の送信条件を入力し、ＯＫキーｋ２をクリックすると、前記設定部６３は、入力された各送信条件に基づいて送信設定を作成し、前記記憶部６２に記録する。
【００９９】
続いて、前記設定部６３は、表示・操作部６１の表示部に、読取設定及び送信設定の設定名称を登録するための図１０に示される設定登録画面ｄ３と同様の設定登録画面を形成し、該設定登録画面に、設定名称を入力するための枠を表示する。そして、ユーザが、操作パネルを操作して枠内に設定名称を入力し、ＯＫキーｋ３をクリックすると、前記設定部６３は、各読取設定及び送信設定と設定名称とを対応させて前記記憶部６２に記録し、登録する。
【０１００】
続いて、送受信部６４は記憶部６２から読取設定、送信設定及び設定名称を読み出し、無線ネットワーク５０を介して複合機３０に送信する。
【０１０１】
このようにして、携帯電話６０から複合機３０に読取設定、送信設定及び設定名称が送信されると、複合機３０において、送受信部３１は、読取設定、送信設定及び設定名称を受信し、読取設定及び送信設定と設定名称とを対応させて記憶部３２に記録する。
【０１０２】
続いて、複合機３０において、ユーザが、表示・操作部３５の表示部に形成されたメニュー画面で、原稿の画像を読み取るとともに、画像データが添付された電子メールを送信先に送信する機能を選択すると、前記読取部３３は、表示・操作部３５の表示部に、図１３に示される設定選択画面ｄ４と同様の設定選択画面を形成し、該設定選択画面に、設定名称を選択するための文字列を検索キーとして入力するための枠を表示する。ユーザが表示・操作部３５の操作部を操作して文字列を入力すると、前記読取部３３は、記憶部３２内を検索し、第１の表示領域に、入力した文字列を含む設定名称の候補、設定名称を登録したユーザの名称、登録された日時等を一覧で表示する。さらに、ユーザが、表示・操作部３５の操作部を操作して、一覧において所定の設定名称を選択すると、前記読取部３３は、前記記憶部３２を参照し、選択された設定名称と対応させて記録された読取設定及び送信設定を読み出し、前記第１の表示領域と隣接する第２の表示領域に読取設定の各読取条件及び送信設定の各送信条件を表示する。
【０１０３】
続いて、ユーザが、設定選択画面で、読取設定の各読取条件及び送信設定の各送信条件を確認し、実行要素としてのＯＫキーｋ４をクリックすると、前記読取部３３は、読取設定及び送信設定を確定する。
【０１０４】
次に、読取部３３は、原稿がＡＤＦにセットされているかどうかを判断し、原稿がＡＤＦにセットされている場合、記憶部３２から読取設定を読み出し、読取装置を作動させ、読取設定に基づいてＡＤＦにセットされた原稿の画像を読み取る。また、原稿がＡＤＦにセットされていない場合、読取部３３は、原稿がフラットベットにセットされているかどうかを判断し、原稿がフラットベットにセットされている場合、前記記憶部３２から読取設定を読み出し、読取装置を作動させ、読取設定に基づいてフラットベットにセットされた原稿の画像を読み取る。このとき、読取部３３は、読み取られた画像の画像データを生成し、該画像データを読取設定において設定されたファイル形式でファイルにし、読取設定において設定された名称を付与して記憶部３２に記録する。
【０１０５】
続いて、読取部３３は、原稿の画像の読取りが終了したかどうかを判断し、読取りが終了した場合、メール作成部３４は、記憶部３２から送信設定を読み出し、送信設定に基づいて電子メールを作成する。すなわち、前記メール作成部３４は、送信設定において設定された送信先への電子メールを作成し、送信設定において設定された件名を電子メールに付与するとともに、記憶部３２から画像データのファイルを読み出し、該ファイルを電子メールに添付する。
【０１０６】
そして、前記送受信部３１は、前記メール作成部３４によって作成された電子メールを読み込み、送信先に送信する。これに伴い、電子メールを、メールサーバ３８を介して、パソコンＰＣｉに送信することができる。
【０１０７】
このように、本実施の形態においては、複合機３０において、携帯電話６０から受信した読取設定に基づいて原稿の画像が読み取られて画像データが生成され、携帯電話６０から受信した送信設定に基づいて画像データのファイルが添付された電子メールが作成されるので、ユーザは、携帯電話６０において電子メールを作成することなく、複合機３０から電子メールを送信先に直接送信することができる。したがって、複合機３０において読み取られた画像の画像データを送信先に送信するための作業を簡素化することができる。また、ユーザは任意の場所で携帯電話６０を操作することによって、複合機３０により、原稿の画像を読み取り、電子メールを送信先に送信することができる。
【０１０８】
次に、図１６のフローチャートについて説明する。
ステップＳ５１  送受信部６４は接続可能な装置があるかどうかを判断する。接続可能な装置がある場合はステップＳ５２に、接続可能な装置がない場合はステップＳ５６に進む。
ステップＳ５２  ユーザが複合機３０を選択する。
ステップＳ５３  通信接続部６５はパスワードの認証が行われたかどうかを判断する。パスワードの認証が行われた場合はステップＳ５５に、パスワードの認証が行われなかった場合はステップＳ５４に進む。
ステップＳ５４  送受信部６４はエラーの発生をユーザに通知する。
ステップＳ５５  通信接続部６５は、通信接続を行い、処理を終了する。
ステップＳ５６  送受信部６４は、エラーの発生をユーザに通知し、処理を終了する。
【０１０９】
次に、図１８のフローチャートについて説明する。
ステップＳ６１  設定部６３は読取設定を作成する。
ステップＳ６２  読取設定が作成されたかどうかを判断する。読取設定が作成された場合はステップＳ６３に進み、読取設定が作成されなかった場合はステップＳ６１に戻る。
ステップＳ６３  設定部６３は送信設定を作成する。
ステップＳ６４  送信設定が作成されたかどうかを判断する。送信設定が作成された場合はステップＳ６５に進み、送信設定が作成されなかった場合はステップＳ６３に戻る。
ステップＳ６５  設定部６３は読取設定及び送信設定と設定名称とを対応させて登録する。
ステップＳ６６  送受信部６４は、読取設定、送信設定及び設定名称を複合機３０に送信し、処理を終了する。
【０１１０】
次に、図１９のフローチャートについて説明する。
ステップＳ７１  送受信部３１は読取設定、送信設定及び設定名称を携帯電話６０から受信する。
ステップＳ７２  送受信部３１は、読取設定及び送信設定と設定名称とを対応させて記録し、処理を終了する。
【０１１１】
次に、図２０のフローチャートについて説明する。
ステップＳ８１  ユーザが設定名称を選択する。
ステップＳ８２  読取部３３は設定名称が選択されたかどうかを判断する。設定名称が選択された場合は８３に進み、設定名称が選択されなかった場合はステップＳ８１に戻る。
ステップＳ８３  読取部３３は原稿がＡＤＦにセットされているかどうかを判断する。原稿がＡＤＦにセットされている場合はステップＳ８４に、原稿がＡＤＦにセットされていない場合はステップＳ８５に進む。
ステップＳ８４  読取部３３はＡＤＦにセットされた原稿の画像を読み取る。
ステップＳ８５  読取部３３は原稿がフラットベットにセットされているかどうかを判断する。原稿がフラットベットにセットされている場合はステップＳ８６に進み、原稿がフラットベットにセットされていない場合は処理を終了する。
ステップＳ８６  読取部３３はフラットベットにセットされた原稿の画像を読み取る。
ステップＳ８７  画像の読取りが終了するのを待機し、画像の読取りが終了した場合はステップＳ８８に進む。
ステップＳ８８  メール作成部３４は送信設定に基づいて電子メールを作成する。
ステップＳ８９  送受信部３１は、電子メールを送信し、処理を終了する。
【０１１２】
本実施の形態においては、無線ネットワーク５０としてＢｌｕｅｔｏｏｔｈ（登録商標）、Ｗｉ−Ｆｉ等が使用されるようになっているが、ＩＣチップ及びリーダライタから成る非接触ＩＣカードシステムを使用することができる。
【０１１３】
また、前記第１、第２の実施の形態においては、端末装置としてパソコンＰＣｉが、画像読取装置としてスキャナ装置２０が使用され、第３の実施の形態においては、第２の端末装置として携帯電話６０が、第２の画像読取装置として複合機３０が使用されるようになっているが、端末装置としてタブレット端末等を使用したり、第２の画像読取装置として画像の読取機能を備えたプリンタ等を使用したりすることができる。
【０１１４】
なお、本発明は前記各実施の形態に限定されるものではなく、本発明の趣旨に基づいて種々変形させることが可能であり、それらを本発明の範囲から排除するものではない。
【符号の説明】
【０１１５】
２０    スキャナ装置
２１    送受信部
２３    読取部
２４    メール作成部
３０    複合機
３８    メールサーバ
ＰＣ１    パソコン
【図１】
2014192537.tif 000003
【図２】
2014192537.tif 000004
【図３】
2014192537.tif 000005
【図４】
2014192537.tif 000006
【図５】
2014192537.tif 000007
【図６】
2014192537.tif 000008
【図７】
2014192537.tif 000009
【図８】
2014192537.tif 000010
【図９】
2014192537.tif 000011
【図１０】
2014192537.tif 000012
【図１１】
2014192537.tif 000013
【図１２】
2014192537.tif 000014
【図１３】
2014192537.tif 000015
【図１４】
2014192537.tif 000016
【図１５】
2014192537.tif 000017
【図１６】
2014192537.tif 000018
【図１７】
2014192537.tif 000019
【図１８】
2014192537.tif 000020
【図１９】
2014192537.tif 000021
【図２０】
2014192537.tif 000022